(57)【要約】【課題】ブックマーク登録されているウェブページを画像形成装置等の表示部に表示させる際に、ユーザに面倒な操作を要求することなく、従来よりも視認性を向上させたウェブページ表示サービスをユーザに提供可能とする。【解決手段】画像を表示する表示部とウェブブラウザ機能部５２２１とを備え、ウェブブラウザ機能部５２２１は、ウェブページのURLを複数記憶させるURL記憶部５２２４と、URL記憶部５２２４によりURLが記憶されたウェブページを示す複数のブックマーク画像を表示させるブックマーク画像表示制御部５２２５と、当該ブックマーク画像に基づいた操作に従って２つ以上のブックマーク画像の選択を受け付ける選択受付部５２２６と、当該選択が受け付けられた２つ以上のブックマーク画像に対応付けられている各URLが示すそれぞれのウェブページを表示部に表示させるウェブ表示制御部５２２３とを備える。【選択図】図３
2010128992.tif 000002
【特許請求の範囲】
【請求項１】
画像を表示する表示部と、
前記表示部にウェブページを表示させるウェブブラウザ機能部とを備え、
前記ウェブブラウザ機能部は、ユーザにより指定されたウェブページのURLを複数記憶させるURL記憶部と、当該URL記憶部によりURLの記憶が行われたウェブページを示す複数のブックマーク画像を表示させるブックマーク画像表示制御部と、ユーザによる当該ブックマーク画像に基づいた操作に従って、タッチパネル機能により２つ以上のブックマーク画像の選択を受け付ける選択受付部と、当該選択受付部に選択が受け付けられた当該２つ以上のブックマーク画像に対応付けられている各URLが示すそれぞれのウェブページを前記表示部に表示させるウェブ表示制御部とを備える表示制御装置。
【請求項２】
前記ウェブ表示制御部は、前記選択が受け付けられた各ブックマーク画像に対応付けられた複数のウェブページを、そのうちの１つのウェブページの画像を最前面として前記表示部に表示させ、他のウェブページは当該表示中のウェブページのバックグラウンドとなる表示画面としてタブ画像でのみ表示し、ユーザにより当該タブ画像を指定する操作が行われた場合に、タッチパネル機能により、当該指定されたタブ画像で表示されているウェブページの表示指示を受け付け、当該表示指示を受け付けたバックグラウンドのウェブページを、前記最前面として表示されているウェブページに代わる新たな前記最前面のウェブページとして、前記表示部に表示させる請求項１に記載の表示制御装置。
【請求項３】
前記ウェブ表示制御部は、前記ユーザによるブックマーク画像に基づいた操作に従って、最初に前記選択受付部に選択が受け付けられたブックマーク画像に対応付けられているURLが示すウェブページを、前記最前面のウェブページとして前記表示部に表示させる請求項２に記載の表示制御装置。
【請求項４】
前記ウェブ表示制御部は、前記表示部の表示画面を、前記選択が受け付けられた各ブックマーク画像に対応付けられた複数のウェブページの数に合わせて分割し、当該複数のウェブページの画像を前記表示部に同時に表示させる請求項１に記載の表示制御装置。
【請求項５】
プリント対象データに基づいて記録紙に画像を記録する記録部と、
請求項１乃至請求項４のいずれかに記載の表示制御装置とを備えた画像形成装置。
【請求項６】
表示制御装置に内蔵されるコンピュータを、
前記表示制御装置の表示部にウェブページを表示させるウェブブラウザ機能部として機能させ、
さらに、前記ウェブブラウザ機能部を、ユーザにより指定されたウェブページのURLを複数記憶させるURL記憶部と、当該URL記憶部によりURLの記憶が行われたウェブページを示す複数のブックマーク画像を表示させるブックマーク画像表示制御部と、ユーザによる当該ブックマーク画像に基づいた操作に従って、タッチパネル機能により２つ以上のブックマーク画像の選択を受け付ける選択受付部と、当該選択受付部に選択が受け付けられた当該２つ以上のブックマーク画像に対応付けられている各URLが示すそれぞれのウェブページを前記表示部に表示させるウェブ表示制御部として機能させる表示制御プログラム。
【発明の詳細な説明】
【技術分野】
【０００１】
本発明は、表示制御装置、画像形成装置、及び表示制御プログラムに関し、特に、ウェブページを表示部に表示する際の技術に関する。
【背景技術】
【０００２】
従来から、コピー機や、複合機（コピー機能、プリンタ機能、ファクシミリ機能、スキャナ機能を兼ね備えた機器）等の画像形成装置には、ユーザに対して操作案内等を表示するために、ＬＣＤ（Liquid Crystal Display）等からなる表示部が設けられている。また、下記特許文献１に示されるように、インターネットに接続されたブラウザ機能を有する表示装置であって、参照したURLのアクセス回数を計数し、アクセスされた回数に応じてブックマーク（任意のウェブサイトのURLを登録する機能）に新たに登録したり、アクセス回数によってブックマークを表示するブックマーク画像を並べ変える表示装置が提案されている。
【特許文献１】特開２０００−９９４３６号公報
【発明の開示】
【発明が解決しようとする課題】
【０００３】
しかし、上記特許文献１に示された表示装置は、アクセスされた回数の多いウェブページのURLをブックマークに新たに登録したり、アクセス回数の多いウェブページを示すブックマーク画像の表示位置をアクセス回数に応じて変更することによって、表示部に表示されるブックマークの中から、ユーザが表示を希望するウェブページに対応するブックマークを見つけやすくするものに過ぎない。このような表示装置においては、更に、ユーザによるブックマーク選択操作に応じて様々なウェブページ表示制御を行うことで、視認性を向上させたウェブページ表示サービスをユーザに提供することが望まれるが、上記特許文献１に示された表示装置は、このような視認性を向上させたウェブページ表示サービスを提供するものではない。
【０００４】
本発明は、上記の問題を解決するためになされたもので、ブックマーク登録されているウェブページを画像形成装置等の表示部に表示させる際に、ユーザに面倒な操作を要求することなく、従来よりも視認性を向上させたウェブページ表示サービスをユーザに提供可能とすることを目的とする。
【課題を解決するための手段】
【０００５】
本発明の請求項１に記載の発明は、画像を表示する表示部と、
前記表示部にウェブページを表示させるウェブブラウザ機能部とを備え、
前記ウェブブラウザ機能部は、ユーザにより指定されたウェブページのURLを複数記憶させるURL記憶部と、当該URL記憶部によりURLの記憶が行われたウェブページを示す複数のブックマーク画像を表示させるブックマーク画像表示制御部と、ユーザによる当該ブックマーク画像に基づいた操作に従って、タッチパネル機能により２つ以上のブックマーク画像の選択を受け付ける選択受付部と、当該選択受付部に選択が受け付けられた当該２つ以上のブックマーク画像に対応付けられている各URLが示すそれぞれのウェブページを前記表示部に表示させるウェブ表示制御部とを備える表示制御装置である。
【０００６】
また、請求項６に記載の発明は、表示制御装置に内蔵されるコンピュータを、
前記表示制御装置の表示部にウェブページを表示させるウェブブラウザ機能部として機能させ、
さらに、前記ウェブブラウザ機能部を、ユーザにより指定されたウェブページのURLを複数記憶させるURL記憶部と、当該URL記憶部によりURLの記憶が行われたウェブページを示す複数のブックマーク画像を表示させるブックマーク画像表示制御部と、ユーザによる当該ブックマーク画像に基づいた操作に従って、タッチパネル機能により２つ以上のブックマーク画像の選択を受け付ける選択受付部と、当該選択受付部に選択が受け付けられた当該２つ以上のブックマーク画像に対応付けられている各URLが示すそれぞれのウェブページを前記表示部に表示させるウェブ表示制御部として機能させる表示制御プログラムである。
【０００７】
これらの発明では、ブックマーク画像表示制御部によって表示部に上記ブックマーク画像が表示されているときに、選択受付部が、ユーザによる当該ブックマーク画像に基づいた操作に従って、２つ以上のブックマーク画像の選択を受け付け、ウェブ表示制御部が、当該選択が受け付けられた２つ以上のブックマーク画像に対応付けられている各URLが示すそれぞれのウェブページを表示部に表示させるので、ユーザは、所望の２つ以上のウェブページを視認したい場合に、それぞれのウェブページを切り換えて表示部に順次表示させる操作を行う等といった面倒な操作を行わなくても、所望の２つ以上のウェブページを表示部に表示させることができ、２つ以上のウェブページを確認したい場合における操作性及び視認性が格段に向上する。
【０００８】
また、請求項２に記載の発明は、請求項１に記載の表示制御装置であって、前記ウェブ表示制御部は、前記選択が受け付けられた各ブックマーク画像に対応付けられた複数のウェブページを、そのうちの１つのウェブページの画像を最前面として前記表示部に表示させ、他のウェブページは当該表示中のウェブページのバックグラウンドとなる表示画面としてタブ画像でのみ表示し、ユーザにより当該タブ画像を指定する操作が行われた場合に、タッチパネル機能により、当該指定されたタブ画像で表示されているウェブページの表示指示を受け付け、当該表示指示を受け付けたバックグラウンドのウェブページを、前記最前面として表示されているウェブページに代わる新たな前記最前面のウェブページとして、前記表示部に表示させるものである。
【０００９】
この発明によれば、ウェブ表示制御部は、上記選択が受け付けられた各ブックマーク画像に対応付けられた複数のウェブページの１つの画像を最前面として表示部に表示させ、他のウェブページは当該表示中のウェブページのバックグラウンドとしてタブ画像のみの表示とするので、画像形成装置に搭載される比較的小さな画面しか有さない表示制御装置であっても、ユーザにより最先に選択されて確認の重要性が高いと想定されるウェブページをユーザに対して見やすく表示させつつ、ユーザにより指定された複数のウェブページの画像を効率よく表示させることができる。さらに、タブ画像でのみ表示されるバックグラウンドのウェブページの表示画面は、ユーザが当該タブ画像を指定する操作に基づいて、当該指定されたタブ画像で表示されているウェブページを、それまで最前面として表示されているウェブページに代えて、新たな最前面のウェブページとして表示部に表示させるので、ユーザは、新たにブックマーク指定画面を呼び出す等の操作を行わなくても、上記選択が受け付けられた複数のウェブページのうちの他のウェブページを、簡単な操作で表示部に表示させることができる。
【００１０】
また、請求項３に記載の発明は、請求項２に記載の表示制御装置であって、前記ウェブ表示制御部は、前記ユーザによるブックマーク画像に基づいた操作に従って、最初に前記選択受付部に選択が受け付けられたブックマーク画像に対応付けられているURLが示すウェブページを、前記最前面のウェブページとして前記表示部に表示させるものである。
【００１１】
この発明によれば、ユーザは、上記ブックマーク画像に基づいた操作で２つ以上のブックマーク画像を選択する際に、最前面として表示部に表示させたいウェブページに対応するブックマーク画像を最初に選択する操作を行うことで、所望のウェブページの画像を、他のウェブページに隠されることなく表示部に表示させることができる。
【００１２】
また、請求項４に記載の発明は、請求項１に記載の表示制御装置であって、前記ウェブ表示制御部は、前記表示部の表示画面を、前記選択が受け付けられた各ブックマーク画像に対応付けられた複数のウェブページの数に合わせて分割し、当該複数のウェブページの画像を前記表示部に同時に表示させるものである。
【００１３】
この発明によれば、ウェブ表示制御部により、ユーザに選択された複数のウェブページが同時に表示部に表示されるので、ユーザは、所望の複数のウェブページを一度に確認することができる。
【００１４】
また、請求項５に記載の発明は、プリント対象データに基づいて記録紙に画像を記録する記録部と、
請求項１乃至請求項４のいずれかに記載の表示制御装置とを備えた画像形成装置である。
【００１５】
この発明によれば、請求項１乃至請求項４のいずれかに記載の発明が奏する作用を得ることができる。
【発明の効果】
【００１６】
本発明によれば、ブックマーク登録されているウェブページを画像形成装置等の表示部に表示させる際に、ユーザに面倒な操作を要求することなく、従来よりも視認性を向上させたウェブページ表示サービスをユーザに提供することができる。
【発明を実施するための最良の形態】
【００１７】
以下、本発明に係る表示制御装置を備える画像形成装置の実施形態を説明する。図１は、本発明に係る表示制御装置を備える画像形成装置の一実施形態である複合機の構成を示す側面概略図である。
【００１８】
複合機１は、本体部２００と、本体部２００の用紙搬出側、例えば左側に配設された用紙後処理部３００と、ユーザ操作者が種々の操作指令等を入力するための操作部４００と、本体部２００の上部に配設された原稿読み取り部と、原稿読み取り部５００の上部に配設された原稿給送部６００とから構成される。
【００１９】
操作部４００は、ＬＣＤ（Liquid Crystal Display）等からなる表示部４１０と、ユーザから操作指示が入力される操作キー部４３０を備える。操作キー部４３０は、スタートキー及びテンキー等を備える。
【００２０】
原稿給送部６００は、原稿載置部６０１、給紙ローラ６０２、原稿搬送部６０３及び原稿排出部６０４を備え、原稿読み取り部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００２１】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００２２】
感光体ドラム２０４は、矢印方向に回転しながら帯電装置（図示省略）によって一様に帯電される。露光装置２０６は、原稿読み取り部５００において読み取られた原稿の画像データに応じて変調されたレーザ光を感光体ドラム２０４上に走査し、ドラム表面に静電潜像を形成する。現像装置２０７は、黒色の現像剤を感光体ドラム２０４に供給してトナー画像を形成する。
【００２３】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００２４】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００２５】
図２は、複合機１の制御ブロック図である。複合機１は、スキャナ部１１、画像処理部２１、記録部３１、操作部４００、制御ユニット５０、ネットワークインタフェイス（インターフェース）部７１、及びＨＤＤ（ハードディスクドライブ）７４を備える。
【００２６】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像データを画像処理部２１へ出力する。
【００２７】
画像処理部２１は、補正部２２、画像加工部２３及び画像メモリ２４を含む。画像処理部２１は、読み取られた画像データを必要に応じて補正部２２及び画像加工部２３により処理し、処理された画像データを画像メモリ２４に記憶したり、記録部３１へ出力する。補正部２２は、読み取られた画像データに対してレベル補正、γ補正等の所定の補正処理を行う。画像加工部２３は、画像データの圧縮又は伸張処理、及び拡大又は縮小処理等の種々の加工処理を行う。
【００２８】
記録部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。記録部３１は、スキャナ部１１により読み取られた原稿データを用いて画像を記録紙に印刷する。具体的には、用紙搬送部３２は記録紙を画像形成部３３へ搬送し、画像形成部３３は上記の画像データに対応するトナー像を形成し、転写部３４はトナー像を記録紙に転写し、定着部３５はトナー像を記録紙に定着させて画像を形成する。
【００２９】
ネットワークインタフェイス部７１は、ネットワークインタフェイス等を用い、イーサネット（登録商標）等によりＬＡＮ（Local Area Network）を介して、外部装置との間での種々のデータの送受信を制御すると共に、インターネットへの接続を行う。ＨＤＤ７４は、スキャナ部１１によって読み取られた画像データ及び当該画像データに設定されている出力形式等を記憶する。
【００３０】
操作部４００は、図１に示す表示部４１０、操作キー部４３０を備える。表示部４１０は、タッチパネルとＬＣＤとを組み合わせたタッチパネルユニット等から構成される。表示部４１０は、種々の操作画面を表示すると共に、ユーザが表示面（表示されている操作キー部）をタッチすることで種々の機能の実行指令を入力することが可能である。操作キー部４３０は、上述のようにスタートキー、テンキー等を有する。
【００３１】
制御ユニット５０は、制御部５２と、表示画像データ記憶部５３とを備える。
【００３２】
制御部５２は、メインコントローラユニット５２１と、表示制御ユニット５２２とを備える。メインコントローラユニット５２１は、複合機１の動作制御を司る。表示制御ユニット５２２は、ユーザに対する複合機１の操作案内情報及びウェブページ等を表示部４１０に表示させるための表示制御を行う。表示画像データ記憶部５３は、表示部４１０に表示させる各種の画像データを記憶している。表示画像データ記憶部５３に記憶されている当該各種画像データは、ユーザに対する複合機１の各操作案内情報の表示等を示す画像からなるものである。
【００３３】
図３は複合機１の制御ユニット５０の構成を抽出して示す図である。制御ユニット５０は、上述したように、メインコントローラユニット５２１と、表示制御ユニット５２２とを備える。当該メインコントローラユニット５２１は、例えばＣＰＵからなり、表示制御ユニット５２２は例えばＡＳＩＣ（Application Specific Integrated Circuit）からなり、これらを構成する各ボードは、例えばＵＳＢ（Universal Serial Bus）で接続される。
【００３４】
メインコントローラユニット５２１は、動作制御部５２１１と、プロキシサーバ５２１３とを備える。
【００３５】
動作制御部５２１１は、複合機１の各部（スキャナ部１１，画像処理部２１、記録部３１等）の動作制御を司る。
【００３６】
プロキシサーバ５２１３は、ウェブブラウザ機能部５２２１とインターネット網の間に介在してインターネットとの接続を行なう。プロキシサーバ５２１３は、イーサネット等を介してインターネットに接続する。
【００３７】
表示制御ユニット５２２は、ウェブブラウザ機能部５２２１と、パネルアプリケーション５２２２とを備える。
【００３８】
ウェブブラウザ機能部５２２１は、表示部４１０にインターネット上のウェブページを表示させるために必要な処理等を実行する。
【００３９】
パネルアプリケーション５２２２は、複合機１の各操作案内等を表示部４１０に表示させるために必要な処理を実行する。パネルアプリケーション５２２２は、複合機１の各操作案内に対応する画像データを、上記表示画像データ記憶部５３から読み出して、表示部４１０に表示させる。
【００４０】
また、ウェブブラウザ機能部５２２１は、ウェブ表示制御部５２２３と、URL記憶部５２２４と、ブックマーク画像表示制御部５２２５と、選択受付部５２２６とを有している。
【００４１】
ウェブ表示制御部５２２３は、表示部４１０にウェブページを表示させるために必要な処理を行う。
【００４２】
URL記憶部５２２４は、表示部４１０に表示中のウェブページのURL（Uniform Resource Locator）を登録する登録指示をタッチパネル機能によりユーザから受け付け、当該ユーザによる登録指示に基づいて指定されたウェブページのURLを、制御ユニット５０に備えられる図略のメモリ等に記憶させる。URL記憶部５２２４は、複数のウェブページのURLを所謂ブックマーク登録するものである。
【００４３】
ブックマーク画像表示制御部５２２５は、URL記憶部５２２４によりURLの記憶が行われたウェブページを示すブックマーク画像を表示させる。ブックマーク画像表示制御部５２２５は、URL記憶部５２２４により複数のウェブページのURLが記憶されている場合は、当該複数のウェブページを示すブックマーク画像を表示部４１０に表示させる。
【００４４】
選択受付部５２２６は、ブックマーク画像表示制御部５２２５によって表示部４１０に表示されるブックマーク画像に基づいたユーザによる操作に従って、タッチパネル機能によりブックマーク画像の選択を受け付ける。すなわち、選択受付部５２２６は、ユーザによるブックマーク画像に基づいた操作（例えば、ユーザが指等で当該ブックマーク画像に触れる又は押圧する等の操作）により、当該ブックマーク画像に対応付けられてブックマーク登録されているウェブページを選択する指示を受け付ける。
【００４５】
そして、選択受付部５２２６は、ユーザにより２つ以上のブックマーク画像に基づいた操作が行われることに伴って、タッチパネル機能により、当該２つ以上のブックマーク画像の選択を受け付ける。すなわち、選択受付部５２２６は、ユーザにより２つ以上のブックマーク画像に基づいた操作に応じて、当該２つ以上のブックマーク画像に対応付けられてブックマーク登録されている２つ以上の所望のウェブページを表示部４１０に表示する指示を受け付ける。
【００４６】
ウェブ表示制御部５２２３は、選択受付部５２２６に選択が受け付けられたブックマーク画像に対応付けられているURLが示すウェブページを表示部４１０に表示させる。ウェブ表示制御部５２２３は、選択受付部５２２６に複数のブックマーク画像の選択が受け付けられた場合には、これら複数のブックマーク画像に対応付けられているそれぞれのURLが示すウェブページを表示部４１０に表示させる。
【００４７】
本発明の一実施形態に係る表示制御装置は、例えば、制御ユニット５０及び表示部４１０を備えてなる。
【００４８】
なお、上記には、制御部５２が、ＣＰＵからなるメインコントローラユニット５２１と、ＡＳＩＣからなる表示制御ユニット５２２とで構成されている例を示したが、これに限られず、例えば、ＨＤＤ７４に本発明の一実施形態に係る表示制御プログラムが記憶されており、ＣＰＵ等からなる制御部５２が、当該表示制御プログラムに従って動作することで、上記ウェブブラウザ機能部５２２１として機能してもよいし、これに加えて更に、制御部５２が、パネルアプリケーション５２２２、動作制御部５２１１及びプロキシサーバ５２１３としても機能するものであってもよい。
【００４９】
次に、複合機１において、ブックマーク登録されたウェブページを表示する制御の第１実施形態を説明する。図４はブックマーク登録されたウェブページを表示する制御の第１実施形態を示すフローチャートである。図５は初期操作画面の例を示す図である。図６はウェブページ表示画面の例を示す図である。図７及び図８はブックマーク選択画面の例を示す図である。図９は複数のブックマーク選択操作に応じた複数のウェブページの表示例を示す図である。
【００５０】
ユーザが、複合機１の使用開始時に当該複合機１の主電源をＯＮにすると（Ｓ１でＹＥＳ）、パネルアプリケーション５２２２は、表示画像データ記憶部５３から、初期操作画面に対応する画像データを読み出して、図５に示すような初期画面４１０１を表示部４１０に表示させる（Ｓ２）。このとき、操作部４００は、ユーザから各種動作実行指示（コピー動作実行指示やウェブページ表示指示等）が受付可能な状態となる（Ｓ３，Ｓ１２）。この初期画面４１０１は、図５に示すように、例えばコピー動作時の各種設定を受け付けるキー１０１乃至１０４等が表示されると共に、ウェブブラウザを起動させるウェブブラウザ起動指示（ウェブブラウザの起動により予め設定されているウェブページを表示部４１０に表示させる指示）をユーザから受け付けるブラウザキー１０５が表示される。当該初期画面４１０１及び以下に示す各画面に表示されるキーは、タッチパネル機能によりユーザからの指示の入力がウェブブラウザ機能部５２２１や動作制御部５２１１等に受け付けられる。
【００５１】
ここで、ユーザによる操作部４００の操作で、ウェブページ表示指示以外のいずれかの動作実行指示、例えば、コピー動作実行指示が入力され、当該指示が操作部４００に受け付けられた場合（Ｓ３でＮＯ，Ｓ１２でＹＥＳ）、動作制御部５２１１は、指示された動作、例えばコピー動作を実行する（Ｓ１３）。なお、操作部４００がユーザからいずれの動作実行指示も受け付けない場合は（Ｓ１２でＮＯ）、処理はＳ２に戻り、パネルアプリケーション５２２２が初期画面４１０１を表示部４１０に表示させ、操作部４００がユーザからの各種動作実行指示の入力を待機する状態が継続する。
【００５２】
一方、ユーザにより、初期画面４１０１において、ブラウザキー１０５が押下され、タッチパネル機能によりウェブ表示制御部５２２３にウェブページ表示指示が受け付けられた場合は（Ｓ３でＹＥＳ）、ウェブ表示制御部５２２３は、プロキシサーバ５２１３を介して、ウェブブラウザ表示時の第１ページとして予め設定されているウェブページのウェブサイトにアクセスし、当該ウェブサイトから、第１ページとなるウェブページの画像データを取得して、例えば図６に示すようなウェブページ表示画面４１０３を表示部４１０に表示する（Ｓ４）。すなわち、ウェブ表示制御部５２２３は、パネルアプリケーション５２２２によって表示部４１０に表示されている初期画面４１０１を、上記ウェブページ表示画面４１０３に切り換える。
【００５３】
このとき、ウェブ表示制御部５２２３は、当該表示部４１０の表示画面であって、表示対象とするウェブページの範囲外に、ブックマークされている各ウェブページを示すブックマーク画像を表示させる指示をタッチパネル機能によりユーザから受け付けるためのブックマーク表示指示受付画像Ｂ６を表示させる（図６）。なお、図６には、ウェブ表示制御部５２２３は、ウェブページ表示画面４１０３におけるウェブページ表示部分を外れた当該ウェブページ表示部分の側方にブックマーク表示指示受付画像Ｂ６を表示させているが、ブックマーク表示指示受付画像Ｂ６の表示位置は当該位置に限られず、ウェブページ表示部分を外れた別の位置でも構わないし、また、当該ウェブページ表示部分に重ねて表示するようにしてもよい。
【００５４】
なお、図４には図示していないが、ウェブ表示制御部５２２３が、ウェブページ表示画面４１０３を表示部４１０に表示させているときに、ユーザにより画面クローズボタンＢ２が押下され、タッチパネル機能により画面クローズ指示がウェブ表示制御部５２２３に受け付けられると、ウェブ表示制御部５２２３は当該ウェブページ表示画面４１０３の表示を中止し、パネルアプリケーション５２２２による上記初期操作画面４１０１の表示処理（Ｓ２）に移行する。
【００５５】
また、ウェブ表示制御部５２２３は、ウェブページ表示画面４１０３に、スクロールバーＢ１及び画面クローズボタンＢ２等を表示させる。スクロールバーＢ１及び画面クローズボタンＢ２等は、タッチパネル機能を利用してユーザがウェブページのスクロール指示、ウェブページを閉じる指示等を入力する操作を容易にするため、ユーザが指で触れやすい程度の大きさに設定されている。
【００５６】
上記のように、ウェブ表示制御部５２２３が、ウェブページ表示画面４１０３を表示部４１０に表示させているときに、ブックマーク表示指示受付画像Ｂ６がユーザにより押下等されると、タッチパネル機能により、ブックマーク画像表示制御部５２２５に、ブックマークされている各ウェブページを示すブックマーク画像を表示させるブックマーク画像表示指示が受け付けられる（Ｓ５でＹＥＳ）。このブックマーク画像表示指示に基づいて、ブックマーク画像表示制御部５２２５は、図７に示すようなブックマーク表示画面４１０６を表示させる。ブックマーク画像表示制御部５２２５は、URL記憶部５２２４が上記図略のメモリ等に記憶させているURLのウェブページの全てについて、対応する各ブックマーク画像を表示部４１０に一覧表示させる（Ｓ６，図７）。このとき、ブックマーク画像表示制御部５２２５は、表示の対象とする各ブックマーク画像のそれぞれについてウェブページの名称を表記した上で各ブックマーク画像、図７ではブックマーク画像Ｂ６１〜Ｂ６８を表示させる。
【００５７】
このようにブックマーク画像表示制御部５２２５によりブックマーク画像Ｂ６１〜Ｂ６８が表示されてなるブックマーク一覧が表示部４１０に表示されている状態において、ユーザによりいずれかのブックマーク画像が押下等される操作が行われると、ブックマーク画像表示制御部５２２５は、当該押下されたブックマーク画像の表示色を他のブックマーク画像とは異ならせて表示させる（図７には、ブックマーク画像Ｂ６１が押下されて、他とは異なる色で表示されている状態を示す）。さらに、ブックマーク画像表示制御部５２２５がブックマーク表示画面４１０６内に表示させている「このページを表示」キーＢ６９がユーザにより押下等されると、タッチパネル機能により、上記押下等されたブックマーク画像に対応付けられたブックマーク（すなわち、当該ブックマーク画像に対応付けられて登録されているURL）が示すウェブページの表示指示を、ウェブ表示制御部５２２３が受け付ける（Ｓ７）。
【００５８】
このＳ７においては、ブックマーク画像表示制御部５２２５により上記ブックマーク一覧が表示部４１０に表示されている状態で、ユーザにより１つのブックマーク画像のみが押下等される操作が行われ、さらに、「このページを表示」キーＢ６９が押下等されると、ウェブ表示制御部５２２３は、タッチパネル機能により、上記押下等されたブックマーク画像に対応付けられたブックマークが示す１つのウェブページの表示指示を受け付ける（Ｓ７で「単数選択」）。
【００５９】
このように、ユーザにより単数のブックマーク画像のみが選択されて１つのウェブページについての表示指示をウェブ表示制御部５２２３が受け付けた場合、ウェブ表示制御部５２２３は、当該ブックマーク登録されているURLにアクセスして、当該URLのウェブページの画像データを取得し（Ｓ１４）、取得した当該画像データを表示部４１０に表示させることで、ユーザにより指定されたウェブページを表示部４１０に表示させる（Ｓ１５）。
【００６０】
また、Ｓ７において、ブックマーク画像表示制御部５２２５により上記ブックマーク一覧が表示部４１０に表示されている状態で、ユーザにより複数のブックマーク画像を順に押下等される操作が行われ、この複数のブックマーク画像の押下等の後に、「このページを表示」キーＢ６９が押下等された場合、ウェブ表示制御部５２２３は、「このページを表示」キーＢ６９が押下等されるまでに選択された上記複数のブックマーク画像に対応付けられたそれぞれのブックマークが示す各ウェブページの表示指示を順番に受け付ける（Ｓ７で「複数選択」）。また、ウェブ表示制御部５２２３は、当該表示指示が受け付けられたウェブページについて、表示指示が受け付けられた順番も記憶しておく。なお、「このページを表示」キーＢ６９が押下等されるまでに、ユーザにより複数のブックマーク画像が押下等されて選択された場合、ウェブ表示制御部５２２３は、選択された各ブックマーク画像を図８に示すように、全て他とは異なる色で表示させる。これにより、ユーザは、選択したブックマーク画像がいずれであるか認識し易くなる。
【００６１】
このように、ユーザにより複数のブックマーク画像が選択されて当該複数のウェブページについての表示指示をウェブ表示制御部５２２３が受け付けた場合、ウェブ表示制御部５２２３は、当該複数のウェブページのそれぞれのURLにアクセスして、当該複数のURLに対応する全てのウェブページの画像データを取得する（Ｓ８）。
【００６２】
そして、ウェブ表示制御部５２２３は、上記表示指示が受け付けられた複数のウェブページのうち、Ｓ７で最初に表示指示が受け付けられたウェブページを、表示部４１０の表示画面において最前面に表示するウェブページ（以下、最前面ウェブページという）に設定する（Ｓ９）。
【００６３】
さらに、ウェブ表示制御部５２２３は、上記選択された複数のウェブページのうち、最前面ウェブページ以外のウェブページを、最前面ウェブページのバックグラウンドとして表示部４１０に表示させるウェブページ（以下、バックグラウンドウェブページという）とする。ウェブ表示制御部５２２３は、当該各バックグラウンドウェブページはタブ画像のみを表示部４１０に表示させ、タブ画像以外の表示部分（ウェブページの内容を示す画像）は最前面ウェブページに隠れた状態として表示させる。そして、ウェブ表示制御部５２２３は、当該最前面ウェブページ及び各バックグラウンドウェブページについて、Ｓ７で表示指示が受け付けられた順番に基づいて、それぞれのウェブページを示すタブ画像の表示位置を算出する（Ｓ１０）。例えば、ウェブ表示制御部５２２３は、Ｓ７で表示指示が受け付けられた順番が最も早いウェブページ（最前面ウェブページ）のタブ画像を表示部４１０の表示画面において、最も左側となるように配置し、以降、Ｓ７で表示指示が受け付けられた順に、順次表示位置を右側に予め定められた距離を移動させた位置に、各バックグラウンドウェブページに対応するそれぞれのタブ画像の表示位置を設定する。但し、各ウェブページのタブ画像表示位置の設定を当該設定方法に限定する趣旨ではない。
【００６４】
そして、ウェブ表示制御部５２２３は、Ｓ９で行われた最前面ウェブページ及びバックグラウンドウェブページの設定と、Ｓ１０で算出された各ウェブページのタブ画像表示位置とに基づいて、Ｓ７で選択された全てのウェブページを表示部４１０に表示させる（Ｓ１１）。
【００６５】
例えば、Ｓ７でユーザにより選択されたウェブページが４つの場合、図９に示すように、ウェブ表示制御部５２２３は、最先に選択されたウェブページ（上記最前面ウェブページ）Ｐ１を最前面表示とし、当該最前面ウェブページＰ１の内容を示す画像を表示部４１０に表示させ、当該最前面ウェブページＰ１のタブ画像Ｐ１１を、表示部４１０の表示画面において最も左側に表示させる。さらに、ウェブ表示制御部５２２３は、最前面ウェブページＰ１以外の各バックグラウンドウェブページを、各バックグラウンドウェブページに対応するタブ画像Ｐ２１，Ｐ３１，Ｐ４１のみが表示されるようにし、各バックグラウンドウェブページの内容を示す画像は、最前面ウェブページの内容を示す画像に隠されているように表示させる。当該各バックグラウンドウェブページに対応するタブ画像の表示位置は、ウェブ表示制御部５２２３により、Ｓ７でユーザによる表示指示が受け付けられた順に、表示部４１０の表示画面において左側から順に配置される。図９に示す例の場合、Ｓ７でユーザにより表示指示が受け付けられた順は、最前面ウェブページＰ１が第１番目、タブ画像Ｐ２１で示されるバックグラウンドウェブページが第２番目、タブ画像Ｐ３１で示されるバックグラウンドウェブページが第３番目、タブ画像Ｐ４１で示されるバックグラウンドウェブページが第４番目である。
【００６６】
また、ユーザにより、バックグラウンドウェブページのタブ画像Ｐ２１，Ｐ３１，Ｐ４１のいずれかが押下等されると、当該押下等されたタブ画像に対応するバックグラウンドウェブページが、次に表示される最前面ウェブページの候補としてウェブ表示制御部５２２３に受け付けられ、ウェブ表示制御部５２２３は、当該受け付けられたバックグラウンドウェブページを、新たな最前面ウェブページとしてそのウェブページを示す画像を他のウェブページに優先させて表示部４１０の最前面に表示させる。この場合、ウェブ表示制御部５２２３は、それまで表示させていた最前面ウェブページを、当該新たな最前面ウェブページに対してのバックグラウンドウェブページとし、タブ画像のみが表示部４１０に表示されるようにする。
【００６７】
なお、ウェブページの上記ブックマーク登録は、以下のようにして行われる。ウェブ表示制御部５２２３が、ウェブページ表示画面４１０３を表示部４１０に表示させているときに、ウェブ表示制御部５２２３が表示させている登録指示受付画像Ｂ３がユーザにより押下等されると、タッチパネル機能により、URL記憶部５２２４に、この時点で表示部４１０に表示中のウェブページのURLを記憶させる指示が受け付けられ、当該URL記憶部５２２４は、当該表示中のウェブページのURLを、当該ウェブページの名称と共に上記図略のメモリ等に記憶させることで、ブックマーク登録が行われる。この後は、上述したように、ユーザがブックマーク表示指示受付画像Ｂ６を押下等する操作を行うと、タッチパネル機能により、ブックマーク画像表示制御部５２２５がブックマーク画像表示指示を受け付け、URL記憶部５２２４が記憶されている内容に応じて、図７に示すようなブックマーク表示画面４１０６を表示させる。
【００６８】
次に、複合機１において、ブックマーク登録されたウェブページを表示する制御の第２実施形態を説明する。図１０はブックマーク登録されたウェブページを表示する制御の第２実施形態を示すフローチャートである。図１１は複数のブックマーク選択操作に応じた複数のウェブページの表示例を示す図である。なお、第１実施形態と同様の処理は説明を省略する。
【００６９】
第２実施形態では、Ｓ２７において、ユーザにより複数のブックマーク画像が選択されて当該複数のウェブページについての表示指示を、ウェブ表示制御部５２２３が受け付けた場合、ウェブ表示制御部５２２３は、当該複数のURLに対応する全てのウェブページの画像データを取得すると共に（Ｓ２８）、当該全てのウェブページのそれぞれについて、表示部４１０の表示画面における表示エリアを算出する（Ｓ２９）。
【００７０】
すなわち、第２実施形態では、表示部４１０の表示画面に、上記表示指示が受け付けられたウェブページの内容を示す画像を全て表示するために、ウェブ表示制御部５２２３が、例えば、表示指示されたウェブページの数だけ表示部４１０の表示画面の領域を分割し、当該分割により生成された各領域を表示エリアとして、それぞれ上記表示指示されたウェブページを１つずつ割り当てる。
【００７１】
そして、ウェブ表示制御部５２２３は、上記表示指示を受け付けた複数のウェブページの全てを、それぞれのウェブページに対して割り当てられた上記表示エリアに表示させることで、表示部４１０の表示画面に同時に表示させる（Ｓ３０）。図１１には、上記表示指示を受け付けた複数のウェブページが４つであり、ウェブ表示制御部５２２３が当該４つのウェブページを表示部４１０の表示画面に表示させる例を示している。
【００７２】
なお、本発明は上記実施の形態の構成に限られず種々の変形が可能である。例えば、上記実施形態では、上記第１又は第２実施形態では、ウェブブラウザ機能部５２２１が、ブックマーク画像の表示処理、ブックマーク画像選択の受付処理、ウェブページ表示処理等を行うとして説明しているが、これらの処理を行うのは、所謂ウェブブラウザと呼ばれるアプリケーションに限られず、上記各処理を実行可能なアプリケーション又は回路であればよい。すなわち、本実施形態においては、ウェブブラウザ機能部５２２１は、上記各処理を実行可能なアプリケーション又は回路を包含する概念である。
【００７３】
また、上記実施形態では、本発明に係る表示制御装置、画像形成装置、及び表示制御プログラムの実施形態を、図１乃至図１１に示しているが、これらは本発明の一例に過ぎず、本発明の構成又は処理等をこれらに限定する趣旨ではない。
【図面の簡単な説明】
【００７４】
【図１】本発明に係る表示制御装置を備える画像形成装置の一実施形態である複合機の構成を示す側面概略図である。
【図２】複合機の制御ブロック図である。
【図３】複合機の制御ユニットの構成を抽出して示す図である。
【図４】ブックマーク登録されたウェブページを表示する制御の第１実施形態を示すフローチャートである。
【図５】初期操作画面の例を示す図である。
【図６】ウェブページ表示画面の例を示す図である。
【図７】ブックマーク選択画面の例を示す図である。
【図８】ブックマーク選択画面の例を示す図である。
【図９】複数のブックマーク選択操作に応じた複数のウェブページの表示例を示す図である。
【図１０】ブックマーク登録されたウェブページを表示する制御の第２実施形態を示すフローチャートである。
【図１１】複数のブックマーク選択操作に応じた複数のウェブページの表示例を示す図である。
【符号の説明】
【００７５】
１          複合機
３１        記録部
４１０      表示部
４１０３    ウェブページ表示画面
４１０６    ブックマーク表示画面
５０        制御ユニット
５２        制御部
５２２      表示制御ユニット
５２２１    ウェブブラウザ機能部
５２２３    ウェブ表示制御部
５２２４    URL記憶部
５２２５    ブックマーク画像表示制御部
５２２６    選択受付部
５３        表示画像データ記憶部
Ｂ６        ブックマーク表示指示受付画像
Ｂ６１〜Ｂ６８  ブックマーク画像
Ｂ６９      「このページを表示」キー
Ｐ１        最前面ウェブページ
Ｐ２１，Ｐ３１，Ｐ４１  タブ画像
【図１】
2010128992.tif 000003
【図２】
2010128992.tif 000004
【図３】
2010128992.tif 000005
【図４】
2010128992.tif 000006
【図５】
2010128992.tif 000007
【図６】
2010128992.tif 000008
【図１０】
2010128992.tif 000009
【図７】
2010128992.tif 000010
【図８】
2010128992.tif 000011
【図９】
2010128992.tif 000012
【図１１】
2010128992.tif 000013